(57)【特許請求の範囲】
【請求項１】
別設タンクより供給される燃料を一時的に蓄える定油面装置と、この定油面装置に装着しバーナへ燃料供給する電磁ポンプと、前記定油面装置の油面レベルを検出する油面検出部と、前記定油面装置に燃料を供給する汲み上げポンプと、前記油面検出部の検出レベルに応じて少なくとも前記汲み上げポンプあるいは電磁ポンプの動作を含む燃焼動作を制御する燃焼制御部と、任意に燃焼動作を選択できるモード切替スイッチを備え、前記燃焼制御部は複数の制御動作パターンを有するとともに、前記モード切替スイッチの設定に応じて制御動作パターンを変更できる構成とし、さらに前記モード切替スイッチを選択することで、前記汲み上げポンプの有無に応じた所定の制御動作パターンを選択できるようにした燃焼器の油供給装置。
【請求項２】
汲み上げポンプは着脱自在な構成とした請求項１記載の燃焼器の油供給装置。
【請求項３】
別設タンクと燃焼器を着脱自在な一体構成とした請求項１または２記載の燃焼器の油供給装置。
【請求項４】
燃焼制御部は、モード切替スイッチの設定を切り替えることで、油面検出部を電磁ポンプ制御用のセンサーあるいは汲み上げポンプ制御用のセンサーに切り替えることができる構成とした請求項１記載の燃焼器の油供給装置。
【請求項５】
モード切替スイッチは、汲み上げポンプの電源コネクタと一体型の中継コネクタを介して接続するようにした請求項１ないし４のいずれか１項記載の燃焼器の油供給装置。
【請求項６】
燃焼制御部は、モード切替スイッチで汲み上げポンプ有りの動作を選択したとき、油面検出部が所定レベル以下に油面が低下したことを検出すると、前記汲み上げポンプを動作させて、一定時間内に油面レベルが所定レベルまで回復しなければ電磁ポンプを強制的に停止させて、機器の異常停止を報知する構成とした請求項１または４記載の燃焼器の油供給装置。
【請求項７】
燃焼制御部は、モード切替スイッチで汲み上げポンプ有りの動作を選択したとき、油面検出部が所定レベル以下に油面が低下したことを検出すると、前記汲み上げポンプを動作させて、一定時間内に油面レベルが所定レベルまで回復しなければ電磁ポンプを強制的に停止させた後、さらに一定時間だけ前記汲み上げポンプの動作を継続し、この期間内に油面レベルが所定レベルまで回復しなければ機器の異常停止を報知するように構成した請求項１または４記載の燃焼器の油供給装置。
【請求項８】
燃焼器の燃焼状態を監視する燃焼検出部を備え、燃焼制御部は、モード切替スイッチで汲み上げポンプ有りの動作を選択したとき、機器の異常停止時の報知を前記燃焼検出部と油面検出部の信号に基づき行うようにした請求項１、６、７の何れか１項記載の燃焼器の油供給装置。
【請求項９】
燃焼制御部は、油面検出部が所定レベル以下に油面が低下したことを検出すると、汲み上げポンプを一定時間だけ動作させ、この一定時間内に前記燃焼検出部にて燃焼状態から非燃焼状態への変化を検出した場合、電磁ポンプを強制的に停止させるとともに、前記汲み上げポンプ動作期間内における油面検出部の油面レベルの回復状態に応じて異なる異常報知を行う構成とした請求項８記載の燃焼器の油供給装置。
【発明の詳細な説明】
【０００１】
【発明の属する技術分野】
本発明は燃料供給形態を設定スイッチの切り替えで対応できる構成とした燃焼器の油供給装置に関する。
【０００２】
【従来の技術】
従来の燃焼器の油供給装置の例を図１４及び図１５に示す。
【０００３】
図１４は別設タンク５が燃焼器１より低い位置に設置された例を示すもので、１は燃焼器の本体、２は定油面装置、３はバーナー、４はバーナ３への燃料供給用の電磁ポンプ、５は別設タンク、６は別設タンク５より供給される燃料を一時的に蓄えておく油リザーブタンク、７は油リザーブタンク６内に設け、油面レベルを検出する油面センサー、８は別設タンク５の燃料を油リザーブタンク６に供給する汲み上げポンプ、９はコントローラ、１０は運転操作部である。そして、油面センサー７のレベル信号に応じてコントローラ９によって汲み上げポンプ８を制御し、油リザーブタンク６に一定油面の燃料を供給するように構成してある。
【０００４】
また、図１５は別設タンク５が燃焼器１より高い位置に設置された例を示すものである。図１４と同一部分は同一番号を付与して説明を省略する。図１５の従来例は別設タンク５の落差で定油面装置２に燃料を供給するもので、別設タンク５から定油面装置２に燃料を供給する際に、汲み上げポンプ８は必要としないものである。
【０００５】
上記のように構成された燃焼器の油供給装置において、まず、図１４の構成のものについて、その動作を説明する。運転操作部１０によって機器の運転を開始すると、バーナ３への燃料供給を電磁ポンプ４にて行う。電磁ポンプ４の動作により定油面装置２の燃料が減少すると、定油面装置２よりも高い位置に取り付けた油リザーブタンク６から定油面装置２に自動的に燃料が供給される。油リザーブタンク６にはタンク内の油面の低下を検出するために油面センサー７が取り付けられており、コントローラ９は油面センサー７によってタンク内の油面低下が検出されると汲み上げポンプ８を動作させて別設タンク５から油リザーブタンク６内に一定量の油を汲み上げる動作を行い、定油面装置２の油面レベルを常に一定に保って、バーナ３へ燃料を安定して供給できるようにしている。さらに、上記定油面装置２は油リザーブタンク６と兼用で、そこへ油面センサー７と汲み上げポンプ８を取り付けた構成のものもあった。
【０００６】
また、図１５の構成のものについては、別設タンク５内の油面レベルが定油面装置２の油面レベルよりも高い場合の構成であり、図１４の構成における汲み上げポンプ８や油リザーブタンク６は不要である。その動作を説明すると、運転操作部１０によって機器の運転を開始すると、バーナ３への燃料供給を電磁ポンプ４にて行う。電磁ポンプ４の動作により定油面装置２の燃料が減少すると、定油面装置２よりも高い位置にある別設タンク５から定油面装置２に油が自動的に流れ込んで定油面装置２の油面レベルをほぼ一定に保って、バーナ３へ燃料を安定して供給できるようにしている。また、送油経路のトラブルで油が来なくなった場合に電磁ポンプ４が空打ちをすることを防止するために、定油面装置２の油面レベルを検出するために、油面センサー７を取り付けて油面低下を検知した場合は電磁ポンプ４を停止させていた。
【０００７】
【発明が解決しようとする課題】
しかしながら上記従来の構成においては、別設タンクの設置場所によって燃焼器への給油システムをそれぞれ変更する必要があった。すなわち、別設タンクが燃焼器より低い位置に設置された場合は、図１４に示すように汲み上げポンプを用いた給油システムを構成する必要があり、別設タンクが燃焼器より高い位置に設置された場合は、図１５に示すように汲み上げポンプを必要とせず別設タンクの落差で給油する一般的な構成の給油システムでよい。このように、別設タンクの設置場所に応じて給油システムを変更しなくてはならず、それに伴う燃焼器の対応も必要なものであった。その１つとして、油面センサーの使用目的の相違があり、例えば、汲み上げポンプなしの方は送油経路の異常（目詰まり）検出であるのに対して、汲み上げポンプ有の方は通常使用時の残油量の低下検出、或いは送油経路の異常（目詰まりや汲み上げポンプの異常）の検出であり、別のシステム構成として扱う必要があるため、コントローラはそれぞれ独立した別のものとして構成する必要があるという課題があった。
【０００８】
また、コントローラを共用する構成とした場合は、汲み上げポンプが不要な設置条件でも、一律に汲み上げポンプを装着したシステム構成の方を採用する必要があり、価格面で高価になってしまうことや、汲み上げポンプ非装着時と比較して、動作音による騒音レベルが増加するといった課題もあった。
【０００９】
また、高低差などの設置条件による負荷が大きくなると、汲み上げポンプの単位時間当たりの汲み上げ能力も落ちるので、所定のレベルまで油を汲み上げることができなくなり、頻繁に汲み上げポンプが動作してしまい耐久性上の問題が生じる。それを調整するために汲み上げポンプ動作時間設定を変更するにはコントローラを変更する必要があるという課題があった。
【００１０】
【課題を解決するための手段】
本発明は上記従来の課題を解決するため、別設タンクより供給される燃料を一時的に蓄える定油面装置と、この定油面装置に装着しバーナへ燃料供給する電磁ポンプと、前記定油面装置の油面レベルを検出する油面検出部と、前記定油面装置に燃料を供給する汲み上げポンプと、前記油面検出部の検出レベルに応じて少なくとも前記汲み上げポンプあるいは電磁ポンプの動作を含む燃焼動作を制御する燃焼制御部と、任意に燃焼動作を選択できるモード切替スイッチを備え、前記燃焼制御部は複数の制御動作パターンを有するとともに、前記モード切替スイッチの設定に応じて制御動作パターンを変更できる構成とし、さらに前記モード切替スイッチを選択することで、前記汲み上げポンプの有無に応じた所定の制御動作パターンを選択できるようにしている。
【００１１】
上記発明によれば、予め別設タンクの設置条件に応じて定めた制御動作パターンを複数個設けた燃焼制御部と、前記制御動作パターンを任意に選択できるモード切替スイッチを有した構成とすることで、給油システムに応じた制御動作を容易に確保することができるとともに、燃焼制御部はモード切替スイッチを選択することで、汲み上げポンプを有する給油システムに対応した制御動作と、汲み上げポンプがない場合の制御動作を容易に変更することができるため、給油システムに応じた制御動作を容易に確保することができ、かつ制御器すなわち燃焼器の共用化を図ることができ、設置の自由度を高め、工事性を大巾に向上するものである。
【００１２】
【発明の実施の形態】
本発明の請求項１の燃焼器の油供給装置は、別設タンクより供給される燃料を一時的に蓄える定油面装置と、この定油面装置に装着しバーナへ燃料供給する電磁ポンプと、前記定油面装置の油面レベルを検出する油面検出部と、前記定油面装置に燃料を供給する汲み上げポンプと、前記油面検出部の検出レベルに応じて少なくとも前記汲み上げポンプあるいは電磁ポンプの動作を含む燃焼動作を制御する燃焼制御部と、任意に燃焼動作を選択できるモード切替スイッチを備え、前記燃焼制御部は複数の制御動作パターンを有するとともに、前記モード切替スイッチの設定に応じて制御動作パターンを変更できる構成とし、さらに前記モード切替スイッチを選択することで、前記汲み上げポンプの有無に応じた所定の制御動作パターンを選択できるようにしている。
【００１３】
そして、予め別設タンクの設置条件に応じて定めた制御動作パターンを複数個設けた燃焼制御部と、前記制御動作パターンを任意に選択できるモード切替スイッチを有した構成とすることで、給油システムに応じた制御動作を容易に確保することができるとともに、制御器すなわち燃焼器の共用化を図ることができ、設置の自由度を高め、工事性を大巾に向上するものである。
【００１４】
そして、汲み上げポンプの有無に対応する制御動作パターンのみ有する構成としたものにおいては、モード切替スイッチを選択することで、汲み上げポンプを有する給油システムに対応した制御動作と、汲み上げポンプがない場合の制御動作を容易に変更することができるため、給油システムに応じた制御動作を容易に確保することができるとともに、制御器すなわち燃焼器の共用化を図ることができ、設置の自由度を高め、工事性を大巾に向上するものである。
【００１５】
また、請求項２の燃焼器の油供給装置は、汲み上げポンプを着脱自在な構成としている。
【００１６】
そして、汲み上げポンプを必要としない設置条件においてはモード切替スイッチで対応する制御動作パターンを選択するとともに、汲み上げポンプを燃焼器から取り外すことで構成の簡素化が図れるとともに、安価な給油システムを提供することができる。
【００１７】
また、請求項３の燃焼器の油供給装置は、別設タンクと燃焼器を着脱自在な一体構成といている。
【００１８】
そして、着脱自在な一体化構成とするとともに、設置状態に応じて容易に給油動作を含む制御動作パターンを変更できるため、設置の自由度を高め、工事性を大巾に向上するものである。
【００１９】
また、請求項４の燃焼器の油供給装置は、燃焼制御部はモード切替スイッチの設定を切り替えることで、油面検出部を電磁ポンプ制御用のセンサーあるいは汲み上げポンプ制御用のセンサーに切り替えることができる構成としている。
【００２０】
そして、モード切替スイッチで選択された制御動作パターンに応じて油面検出部の検出信号を用いる構成とすることで、効果的な制御動作を提供できるとともに、１つの油面検出部で複数の用途に用いることができ、構成の簡素化と、安価な給油システムを提供することができる。
【００２１】
また、請求項５の燃焼器の油供給装置は、モード切替スイッチは汲み上げポンプの電源コネクタと一体型の中継コネクタを介して接続するようにしている。
【００２２】
そして、コネクタを一体化することで汲み上げポンプの電源コネクタをＯＮすると連動して自動的にモード切替スイッチを汲み上げポンプ有りの設定にすることができ設定忘れ等をなくし、動作の確実性を向上することができる。
【００２３】
また、請求項６の燃焼器の油供給装置は、燃焼制御部はモード切替スイッチで汲み上げポンプ有りの動作を選択したとき、油面検出部が所定レベル以下に油面が低下したことを検出すると、前記汲み上げポンプを動作させて、一定時間内に油面レベルが所定レベルまで回復しなければ電磁ポンプを強制的に停止させて、機器の異常停止を報知する構成としている。
【００２４】
そして、モード切替スイッチで汲み上げポンプ有りの動作を選択したときに、所定の汲み上げ動作で油面が回復しなければ油切れ状態であると判定し、強制的に電磁ポンプの動作を停止させ、空打ちによる耐久性の低下を未然に防ぐとともに、異常停止を報知するようにして使用者に送油経路の点検を促すようにている。
【００２５】
また、請求項７の燃焼器の油供給装置は、燃焼制御部はモード切替スイッチで汲み上げポンプ有りの動作を選択したとき、油面検出部が所定レベル以下に油面が低下したことを検出すると、前記汲み上げポンプを動作させて、一定時間内に油面レベルが所定レベルまで回復しなければ電磁ポンプを強制的に停止させた後、さらに一定時間だけ前記汲み上げポンプの動作を継続し、この期間内に油面レベルが所定レベルまで回復しなければ機器の異常停止を報知するように構成している。
【００２６】
そして、モード切替スイッチで汲み上げポンプ有りの動作を選択したときに、所定の汲み上げ動作で油面が回復しなければ油切れ傾向にある判定し、強制的に電磁ポンプの動作を停止させ、空打ちによる耐久性の低下を未然に防ぐとともに、汲み上げポンプの動作は電磁ポンプの動作を停止させ後、所定時間継続して行うようにすることで、送油経路の一時的なつまりに対する回復期間を確保するようにして使い勝手の向上を図るようにしている。そして、所定時間後も油面レベルが回復しない場合は油切れと判断して異常停止を報知するようにしている。
【００２７】
また、請求項８の燃焼器の油供給装置は、燃焼器の燃焼状態を監視する燃焼検出部を備え、燃焼制御部は、モード切替スイッチで汲み上げポンプ有りの動作を選択したとき、機器の異常停止時の報知を前記燃焼検出部と油面検出部の信号に基づき行うようにしている。
【００２８】
また、請求項９の燃焼器の油供給装置は、燃焼制御部は油面検出部が所定レベル以下に油面が低下したことを検出すると、汲み上げポンプを一定時間だけ動作させ、この一定時間内に前記燃焼検出部にて燃焼状態から非燃焼状態への変化を検出した場合、電磁ポンプを強制的に停止させるとともに、前記汲み上げポンプ動作期間内における油面検出部の油面レベルの回復状態に応じて異なる異常報知を行う構成としている。
【００２９】
そして、燃焼検出信号と油面検出信号の両方の検出信号に基づき異常停止処理を行うことで、異常停止の原因が油切りによるものか、燃焼不良による不着火かを確実に検出し報知することができ、適切なメンテナンスが可能となる。
【００３０】
【実施例】
以下本発明の実施例について図面に基づいて説明する。
【００３１】
（実施例１）
図１は本発明の実施例１の燃焼器の油供給装置の構成図である。
【００３２】
１１は燃焼器の本体で、１２は定油面装置、１３はバーナ部、１４は油面センサー、１５は油面センサー１４の信号により油面レベルを検出する油面検出部、１６は電磁ポンプ、１７は別設の油タンクであり、本実施例では燃焼器１１と一体化構成としており、締結部１８で着脱自在な構成としている。１９はコントローラで燃焼制御部２０やモード切替スイッチ２１等で構成している。２２は運転操作部、２３は汲み上げポンプで送油管２４を経由して別設タンク１７の燃料を定油面装置１２に供給する。なお、汲み上げポンプ２３はジョイント部により容易に着脱可能な構成としている。
【００３３】
上記構成において、その動作を図２の制御ブロック図と図３のタイムチャートを用いて説明する。
【００３４】
図２において、燃焼制御部２０は運転操作部２２やモード切替スイッチ２１などの入力に基づいて、電磁ポンプ１６、汲み上げポンプ２３等の負荷への出力を行い燃焼動作を含む運転動作全般を制御する。そして、別設タンク１７の設置状態等により運転条件が決定すると、前記モード切替スイッチ２１により任意の運転モードが設定される。そして、動作タイミングや動作レベルのそれぞれ異なった組み合わせで予め設定した制御パターン、例えば制御パターンＡ、Ｂ、．．、Ｙ、Ｚというように設定された制御パターンからモード切替スイッチ２１の設定入力に応じた制御パターンをモード切替部２１ａによって選択し、運転操作部２２からの運転操作入力にて運転オンの指示を受けると、油面センサー１５からの油面検知入力と、選択された制御パターンに応じて電磁ポンプ１６と汲み上げポンプ２３の動作を制御する。本実施例は別設タンク１７を燃焼器１の下方に配設し、かつ一体化構成としたもので、汲み上げポンプ２３を燃焼器１に取り付け、送油管２４を介して定油面装置１２に燃料を供給するようにしている。そして、モード切替スイッチ２１では例えば制御パターンＡを選択するようにしている。以下、この制御パターンＡの動作について、図３のタイムチャートに基づき説明する。
【００３５】
運転操作部２２から運転開始指示が出されると、燃焼の予備動作完了後に電磁ポンプ１６が動作を始めて（１）、燃焼を開始する。燃焼が行われると、定油面装置２３内の燃料は消費され、徐々に油面が低下していき、定油面装置２３内に取り付けた油面センサー１４の検出レベルが低下していく。そして、この検出レベルが予め設定した下位レベルを下回った時点（２、４）で汲み上げポンプ２３を動作させて定油面装置１２への燃料の供給を試みる。それと同時に一定時間を計時するタイマー１をスタートし、このタイマー計時期間終了時（３）か、或いは油面センサー１４の検出レベルが所定レベルまで上昇する（５）かのどちらかの条件を満足するまで汲み上げポンプ２３を動作させて定油面装置１２内に燃料を汲み上げる。
【００３６】
なお、制御パターンは設置条件によって異なる別設タンク１７からの汲み上げ負荷に応じて、油面センサー１４の検出レベルの上位レベル及び下位レベルの設定や、タイマー１の動作時間の設定を組み合わせて設定し、図２に示すモード設定入力により最適の制御パターンを選択することができる。
【００３７】
（実施例２）
図４は本発明の実施例２の燃焼器の油供給装置の構成を示すブロック図で、実施例１と同一部分は同一番号を付与して説明を省略する。
【００３８】
実施例２は、汲み上げポンプ２３の有無を選択する場合の構成を示すものであり、実施例１と同様、モード切替スイッチ２１により任意に設定ができ、その設定に応じてモード切替部２１ａで制御パターンが選択され、所定の制御動作が実行される。例えば、汲み上げポンプ２３を必要としない場合は、モード切替スイッチ２１で制御パターンＢを設定することで汲み上げポンプ２３に関連する動作をなくした制御動作を行うようにしている。また、汲み上げポンプ２３を必要とする場合は、モード切替スイッチ２１で制御パターンＡを設定することで汲み上げポンプ２３に関連する動作を含む制御動作を行うようにしている。
【００３９】
次に、図５のタイムチャートにより制御パターンＢの動作を説明する。
【００４０】
最初に、運転スイッチをオンして、燃焼の予備動作完了後に電磁ポンプ１６が動作を始めて（１）燃焼を開始した場合、通常ならば定油面装置１２の燃料は電磁ポンプ１６によって消費されても定油面装置１２の機構によって一定レベルに保たれる。ところが送油経路に何らかの原因で目詰まりが発生して定油面装置１２まで油が供給されなくなった場合、徐々に定油面装置１２に取り付けた油面センサー１４の検出レベルが低下していき、下位レベルを下回った時点（２）で図４の異常報知１手段にて送油経路の異常を報知するとともに、空打ち防止のため電磁ポンプ１６を停止させて、目詰まりが解消するまでそのまま保持する。そして油面センサー１４の検出レベルが所定のレベル以上になった時点（３）で送油経路の異常の報知を取り消して燃焼動作を再開する。
【００４１】
（実施例３）
図６は本発明の実施例３の燃焼器の油供給装置の構成を示すブロック図で、実施例１と同一部分は同一番号を付与して説明を省略する。
【００４２】
実施例３は、モード切替スイッチ２１を汲み上げポンプ２３の電源コネクタと一体成型した中継コネクタを介して接続するようにしたもので、汲み上げポンプ２３の電源コネクタ２７の抜き差しで自動的に汲み上げポンプ２３がある場合の制御パターンＡと、ない場合の制御パターンＢを燃焼制御部２０で判別できる。この場合、制御パターンＡで１パターンのみでなく複数パターン設定可能にさせる場合は、別途（図示しない）燃焼制御部２０に対するモード設定入力を設ける。
【００４３】
（実施例４）
図７は本発明の実施例４の燃焼器の油供給装置の構成を示すブロック図で、実施例１と同一部分は同一番号を付与して説明を省略する。
【００４４】
実施例４は、モード切替スイッチ２１で汲み上げポンプ２３の有無に対応する制御動作パターンを任意に選択できるように構成したものにおいて、汲み上げポンプ２３がある場合の制御パターンを限定したものである。
【００４５】
図８のタイムチャートを用いて、動作を説明する。運転スイッチによって燃焼を開始して電磁ポンプ１６が動作開始（１）してから、徐々に定油面装置１２に取り付けた油面センサー１４の検出レベルが低下して下位レベルを下回った時点（２、４、６）で汲み上げポンプが動作を開始して定油面装置１２への燃料の供給を試みる。それと同時に一定時間を計時するタイマー１をスタートし、油面センサー１４の検出レベルが所定レベルまで上昇する（３、５）か、或いはこのタイマー計時期間終了時かのどちらかの条件を満足するまで汲み上げポンプ２３を動作させて定油面装置１２内に燃料を汲み上げる。タイマー計時期間終了時までに油面センサー１４の検出レベルが所定レベルまで上昇しなかった場合（７）は電磁ポンプ１６と汲み上げポンプ２３を強制的に停止するとともに、ブザー音や表示によって、送油経路２４の異常を使用者に報知している。
【００４６】
（実施例５）
図９は本発明の実施例５の燃焼器の油供給装置の構成を示すブロック図で、実施例１と同一部分は同一番号を付与して説明を省略する。
【００４７】
実施例５は、モード切替スイッチ２１で汲み上げポンプ２３の有無に対応する制御動作パターンを任意に選択できるように構成したものにおいて、汲み上げポンプ２３がある場合の別の制御パターンを限定したものである。
【００４８】
図１０のタイムチャートを用いて、動作を説明する。運転スイッチをオンして、予熱等の燃焼予備動作完了後に電磁ポンプ１６が動作を始めて（１）燃焼を開始すると、徐々に定油面装置１２に取り付けた油面センサー１４の検出レベルが低下してゆき、下位レベルを下回った時点（２）で汲み上げポンプ２３が動作を開始して定油面装置１２への燃料の供給を試みる。それと同時に一定時間を計時するタイマー１をスタートし、このタイマー計時期間終了時までに油面センサー１４の検出レベルが所定レベルまで上昇しなかった時点で（３）、燃焼停止手段２０ａによって電磁ポンプ１６を停止させるとともに、タイマー２を開始して汲み上げポンプ２３の動作を継続させる。その後、タイマー２動作中に油面センサー１４の検出レベルが所定レベルまで上昇した時点（４）で汲み上げポンプ２３を停止させるとともに、燃焼再開手段２０ｂによって燃焼予備動作完了後に電磁ポンプ１６を動作させて燃焼を再開する。その後、再度油面センサー１４の検出レベルが低下して下位レベルを下回った時点（５）で汲み上げポンプ２３が動作を開始して定油面装置１２への燃料の供給を試み、この時点でスタートさせたタイマー１の計時期間終了時までに油面センサー１４の検出レベルが所定レベルまで上昇せず（６）、燃焼停止手段２０ａによって電磁ポンプ１６を停止させるとともに、汲み上げポンプ２３動作の継続のためにこの時点からスタートさせたタイマー２の計時期間終了時までに油面センサー１４の検出レベルが所定レベルまで上昇しなかったので（７）、汲み上げポンプ２３及び電磁ポンプ１６を停止させて燃焼を停止するとともに、ブザー音や表示によって、送油経路２４の異常を使用者に報知している。
【００４９】
（実施例６）
図１１は本発明の実施例６の燃焼器の油供給装置の構成を示すブロック図で、実施例１と同一部分は同一番号を付与して説明を省略する。
【００５０】
実施例６は、モード切替スイッチ２１で汲み上げポンプ２３の有無に対応する制御動作パターンを任意に選択できるように構成したものにおいて、汲み上げポンプ２３がある場合の別の制御パターンを限定したもので、燃焼検出部２５と油面検出部１５の検出信号により異常停止時の原因を特定し報知するとともに、所定の汲み上げ動作を行うようにしたものである。
【００５１】
図１２、図１３のタイムチャートを用いて、動作を説明すると、運転スイッチをオンして、予熱等の燃焼予備動作完了後に電磁ポンプ１６が動作を始めて（１）燃焼を開始すると、徐々に定油面装置１２に取り付けた油面センサー１４の検出レベルが低下してゆき、下位レベルを下回った時点（２）で汲み上げポンプ２３が動作を開始して定油面装置１２への燃料の供給を試みる。それと同時に一定時間を計時するタイマー１をスタートし、このタイマー計時期間終了時までに燃焼検出部２５で燃焼状態が非燃焼になったことを検出すると、燃焼制御部２０は、緊急燃焼停止手段２０ｃによって、電磁ポンプ１６を停止させる（３）。その後、タイマー１動作終了までに油面センサー１４の検出レベルが所定レベルまで上昇しなかった時点（４）で、燃焼停止手段２０ａによって電磁ポンプ１６を停止させるとともに、タイマー２の動作を開始して汲み上げポンプ２３の動作を継続させる。その後、タイマー２の計時期間終了時までに油面センサー１４の検出レベルが所定レベルまで上昇した時点（５）で、汲み上げポンプ２３及び電磁ポンプ１６を停止させて燃焼を停止するとともに、ブザー音や表示によって、着火異常を使用者に報知する。
【００５２】
また、図１３によって、別の動作を説明する。タイマー２のスタートまでの動作（１、２、３、４）は図１２の場合と同様で、タイマー２の計時期間終了時までに油面センサー１４の検出レベルが所定レベルまで上昇しなかった時点（５）で、汲み上げポンプ２３及び電磁ポンプ１６を停止させて燃焼停止するとともに、ブザー音や表示によって、送油経路２４の異常を使用者に報知する。
【００５３】
【発明の効果】
以上のように請求項１の発明によれば、予め別設タンクの設置条件に応じて定めた制御動作パターンを複数個設けた燃焼制御部と、前記制御動作パターンを任意に選択できるモード切替スイッチを有した構成とすることで、給油システムに応じた制御動作を容易に確保することができるとともに、制御器すなわち燃焼器の共用化を図ることができ、設置の自由度を高め、工事性を大巾に向上するものである。
【００５４】
さらに前記燃焼制御部は、前記モード切替スイッチを選択することで、前記汲み上げポンプの有無に応じた所定の制御動作パターンを選択できるようにしたので、モード切替スイッチを選択することで、汲み上げポンプを有する給油システムに対応した制御動作と、汲み上げポンプがない場合の制御動作を容易に変更することができるため、給油システムに応じた制御動作を容易に確保することができるとともに、制御器すなわち燃焼器の共用化を図ることができ、設置の自由度を高め、工事性を大巾に向上するものである。
【００５５】
また、請求項２の発明によれば、汲み上げポンプを必要としない設置条件においてはモード切替スイッチで対応する制御動作パターンを選択するとともに、汲み上げポンプを燃焼器から取り外すことで構成の簡素化が図れるとともに、安価な給油システムを提供することができる。
【００５６】
また、請求項３の発明によれば、着脱自在な一体化構成とするとともに、設置状態に応じて容易に給油動作を含む制御動作パターンを変更できるため、設置の自由度を高め、工事性を大巾に向上するものである。
【００５７】
また、請求項４の発明によれば、モード切替スイッチで選択された制御動作パターンに応じて油面検出部の検出信号を用いる構成とすることで、効果的な制御動作を提供できるとともに、１つの油面検出部で複数の用途に用いることができ、構成の簡素化と、安価な給油システムを提供することができる。
【００５８】
また、請求項５の発明によれば、コネクタを一体化することで汲み上げポンプの電源コネクタをＯＮすると連動して自動的にモード切替スイッチを汲み上げポンプ有りの設定にすることができ設定忘れ等をなくし、動作の確実性を向上することができる。
【００５９】
また、請求項６の発明によれば、モード切替スイッチで汲み上げポンプ有りの動作を選択したときに、所定の汲み上げ動作で油面が回復しなければ油切れ状態であると判定し、強制的に電磁ポンプの動作を停止させ、空打ちによる耐久性の低下を未然に防ぐとともに、異常停止を報知するようにして使用者に送油経路の点検を促すことができる。
【００６０】
また、請求項７の発明によれば、モード切替スイッチで汲み上げポンプ有りの動作を選択したときに、所定の汲み上げ動作で油面が回復しなければ油切れ傾向にある判定し、強制的に電磁ポンプの動作を停止させ、空打ちによる耐久性の低下を未然に防ぐとともに、汲み上げポンプの動作は電磁ポンプの動作を停止させ後、所定時間継続して行うようにすることで、送油経路の一時的なつまりに対する回復期間を確保するようにして使い勝手の向上を図ることができる。そして、所定時間後も油面レベルが回復しない場合は油切れと判断して異常停止を報知することができる。
【００６１】
また、請求項８、９の発明によれば、燃焼検出信号と油面検出信号の両方の検出信号に基づき異常停止処理を行うことで、異常停止の原因が油切りによるものか、燃焼不良による不着火かを確実に検出し報知することができ、適切なメンテナンスが可能となる。
【図面の簡単な説明】
【図１】  本発明の実施例１における燃焼器の油供給装置の構成図
【図２】  同装置の制御動作を示すブロック図
【図３】  同装置の動作状態を示すタイムチャート
【図４】  本発明の実施例２の制御動作を示すブロック図
【図５】  同装置の動作状態を示すタイムチャート
【図６】  本発明の実施例３の制御動作を示すブロック図
【図７】  本発明の実施例４の制御動作を示すブロック図
【図８】  同装置の動作状態を示すタイムチャート
【図９】  本発明の実施例５の制御動作を示すブロック図
【図１０】  同装置の動作状態を示すタイムチャート
【図１１】  本発明の実施例６の制御動作を示すブロック図
【図１２】  同装置の動作状態を示すタイムチャート
【図１３】  同装置の別の動作状態を示すタイムチャート
【図１４】  従来の燃焼器の油供給装置の構成図
【図１５】  従来の燃焼器の油供給装置の構成図
【符号の説明】
１１  燃焼器
１２  定油面装置
１３  バーナ
１４  油面センサー
１５  油面検出部
１６  電磁ポンプ
１７  別設タンク
２０  燃焼制御部
２１  モード切替スイッチ
２３  汲み上げポンプ
【図１】
0004092800.tif 000002
【図２】
0004092800.tif 000003
【図３】
0004092800.tif 000004
【図４】
0004092800.tif 000005
【図５】
0004092800.tif 000006
【図６】
0004092800.tif 000007
【図７】
0004092800.tif 000008
【図８】
0004092800.tif 000009
【図９】
0004092800.tif 000010
【図１０】
0004092800.tif 000011
【図１１】
0004092800.tif 000012
【図１２】
0004092800.tif 000013
【図１３】
0004092800.tif 000014
【図１４】
0004092800.tif 000015
【図１５】
0004092800.tif 000016